(57)【要約】【課題】蓋体と容器本体との係合を構造的に安定化することが可能であるとともに、化粧料による汚損も防ぐことが可能なコンパクト容器の提供を目的とする。【解決手段】底壁部２ａの前端に一連な前面外観を表す前壁部２ｂを有する容器本体２と、底壁部に前壁部の長さ方向に沿って形成され、当該前壁部を後方へ押圧操作可能に弾性変形自在とするスリット４と、前壁部との間に前後方向隙間Ｓを隔てて容器本体内に収納され、スリット上方に前壁部へ達する庇部５ａが形成された中皿５と、容器本体内に設けられ、前壁部に隠蔽されかつ当該前壁部の弾性変形により弾性復帰可能に移動されるスライドピース６と、スライドピースに、隙間に位置させて設けられた係合部７と、蓋体３に設けられ、スライドピースの移動に応じて係合部と係脱するフック部８と、庇部に設けられ、フック部が隙間へ向けて挿抜自在に挿通される孔部９とを備えた。【選択図】図２
2007289291.tif 000002
【特許請求の範囲】
【請求項１】
底壁部の前端に一連な前面外観を表す前壁部を有し、回動自在に連結された蓋体で開閉される容器本体と、上記底壁部に上記前壁部の長さ方向に沿って形成され、当該前壁部を上記容器本体後方へ押圧操作可能に弾性変形自在とするスリットと、上記前壁部との間に前後方向隙間を隔てて上記容器本体内に収納され、該スリット上方に該前壁部へ達するスリット隠蔽部が形成された中皿と、上記容器本体内に設けられ、上記前壁部に隠蔽されかつ当該前壁部が弾性変形されることで弾性復帰可能にスライド移動されるスライドピースと、該スライドピースに、上記隙間に位置させて設けられた係合部と、上記蓋体に設けられ、上記スライドピースのスライド移動に応じて上記係合部に係脱自在に係合するフック部と、上記スリット隠蔽部に設けられ、上記フック部が上記隙間へ向けて挿抜自在に挿通される孔部とを備えたことを特徴とするコンパクト容器。
【請求項２】
前記容器本体と前記蓋体との間には、該蓋体を開放方向へ付勢する付勢部材が設けられることを特徴とする請求項１に記載のコンパクト容器。
【請求項３】
前記前壁部には、押圧操作位置を示すマークが設けられることを特徴とする請求項１または２に記載のコンパクト容器。
【発明の詳細な説明】
【技術分野】
【０００１】
本発明は、蓋体と容器本体との係合を構造的に安定化することが可能であるとともに、化粧料による汚損も防ぐことが可能なコンパクト容器に関する。
【背景技術】
【０００２】
容器本体の前壁部を押圧操作部としたコンパクト容器として、特許文献１が知られている。特許文献１は、化粧料を収納する容器本体と、容器本体を開閉自在に閉じるためにその上方から被せられる蓋体と、蓋体の前端縁に、当該蓋体内方へ水平に折り返して形成された第１係合突起と、蓋体の第１係合突起下方に位置する容器本体の前端縁に、これに沿って形成されたスリットを介して水平方向へ弾性変形自在に形成された弾性操作部と、弾性操作部に容器本体上方へ突出させて第１係合突起と係脱自在に形成され、弾性操作部の弾性変形に従って水平に移動されて第１係合突起から離脱される第２係合突起と、蓋体から垂下させて形成され、移動される第２係合突起と当接されて蓋体を押し上げる突起とを備えて構成されている。
【特許文献１】特開２００４−２０９０２９号公報
【発明の開示】
【発明が解決しようとする課題】
【０００３】
ところで、背景技術にあっては、容器本体の前端縁に形成した弾性操作部に、第１係合突起と係合する第２係合突起を形成しているため、第２係合突起の材質を容器本体の材質と同一材質にせざる負えず、例えば容器本体の材質を硬質なものにすると、第２係合突起が折損しやすく、他方、容器本体の材質を軟質なものにすると、第１係合突起との係合が外れやすいという課題があった。また、スリットを介して弾性変形される弾性操作部に第２係合突起を設けている関係上、当該第２係合突起の移動を確保するために、スリットを、弾性操作部と容器本体の化粧料収納部との間で上下方向に貫通形成している。このスリット内には、化粧料収納部から飛散した化粧料が付着してこびりつきやすく、寸法も僅かであることから清掃も容易ではなく、このためスリット周りが汚損されて、コンパクト容器として見栄えが悪化するという課題もあった。
【０００４】
本発明は上記従来の課題に鑑みて創案されたものであって、蓋体と容器本体との係合を構造的に安定化することが可能であるとともに、化粧料による汚損も防ぐことが可能なコンパクト容器を提供することを目的とする。
【課題を解決するための手段】
【０００５】
本発明にかかるコンパクト容器は、底壁部の前端に一連な前面外観を表す前壁部を有し、回動自在に連結された蓋体で開閉される容器本体と、上記底壁部に上記前壁部の長さ方向に沿って形成され、当該前壁部を上記容器本体後方へ押圧操作可能に弾性変形自在とするスリットと、上記前壁部との間に前後方向隙間を隔てて上記容器本体内に収納され、該スリット上方に該前壁部へ達するスリット隠蔽部が形成された中皿と、上記容器本体内に設けられ、上記前壁部に隠蔽されかつ当該前壁部が弾性変形されることで弾性復帰可能にスライド移動されるスライドピースと、該スライドピースに、上記隙間に位置させて設けられた係合部と、上記蓋体に設けられ、上記スライドピースのスライド移動に応じて上記係合部に係脱自在に係合するフック部と、上記スリット隠蔽部に設けられ、上記フック部が上記隙間へ向けて挿抜自在に挿通される孔部とを備えたことを特徴とする。
【０００６】
前記容器本体と前記蓋体との間には、該蓋体を開放方向へ付勢する付勢部材が設けられることを特徴とする。
【０００７】
前記前壁部には、押圧操作位置を示すマークが設けられることを特徴とする。
【発明の効果】
【０００８】
本発明にかかるコンパクト容器にあっては、蓋体と容器本体との係合を構造的に安定化することができるとともに、化粧料による汚損も防ぐことができる。
【発明を実施するための最良の形態】
【０００９】
以下に、本発明にかかるコンパクト容器の好適な一実施形態を、添付図面を参照して詳細に説明する。本実施形態にかかるコンパクト容器１は基本的には、図１〜図５に示すように、底壁部２ａの前端に一連な前面外観を表す前壁部２ｂを有し、回動自在に連結された蓋体３で開閉される容器本体２と、底壁部２ａに前壁部２ｂの長さ方向に沿って形成され、当該前壁部２ｂを容器本体２後方へ押圧操作可能に弾性変形自在とするスリット４と、前壁部２ｂとの間に前後方向隙間Ｓを隔てて容器本体２内に収納され、スリット４上方に前壁部２ｂへ達するスリット隠蔽部としての庇部５ａが形成された中皿５と、容器本体２内に設けられ、前壁部２ｂに隠蔽されかつ当該前壁部２ｂが弾性変形されることで弾性復帰可能にスライド移動されるスライドピース６と、スライドピース６に、隙間Ｓに位置させて設けられた係合部７と、蓋体３に設けられ、スライドピース６のスライド移動に応じて係合部７に係脱自在に係合するフック部８と、庇部５ａに設けられ、フック部８が隙間Ｓへ向けて挿抜自在に挿通される孔部９とを備えて構成される。
【００１０】
容器本体２は、底壁部２ａの前端、左右端および後端それぞれに、前壁部２ｂ、左右壁部２ｃおよび後壁部２ｄが形成されて、平面外形輪郭が矩形状に形成される。前壁部２ｂは、その壁面に沿って一連に、コンパクト容器１の前面外観を表すとともに、その他の左右壁部２ｃおよび後壁部２ｄも、その壁面に沿って一連に、コンパクト容器１の左右および後面の外観を表す。容器本体２の内部には、これら前壁部２ｂ等で取り囲んで、化粧料が充填されまた化粧具が収納される２つの収納部５ｂを有する中皿５を収納する凹所１０が形成される。凹所１０に面する左右壁部２ｃそれぞれには、中皿５に左右一対で形成された係合突起１１が係脱自在に係合されて、当該中皿５を凹所１０内に保持する係合凹部１２が形成される。
【００１１】
底壁部２ａには、前壁部２ｂに隣接させて当該前壁部２ｂの長さ方向に沿って左右方向にスリット４が形成され、このスリット４により、前壁部２ｂは、左右壁部２ｃに両端支持されて、押圧操作によって容器本体２後方へ弾性変形可能に形成される。また、容器本体２の後壁部２ｄには、その左右に位置させて、容器本体２前方へ窪ませて形成されたヒンジ用溝１３が一対設けられる。
【００１２】
中皿５は、上記係合突起１１が設けられた皿本体５ｃと庇部５ａとから構成される。皿本体５ｃは、左右方向寸法が凹所１０の左右方向寸法にほぼ一致し、前後方向寸法が、前壁部２ｂとの間に前後方向隙間Ｓを隔てるように、凹所１０の前後方向寸法よりも短い、矩形状の平面外形輪郭で形成される。庇部５ａは、皿本体５ｃの外周縁部上端から外方へ向かって張り出して形成され、容器本体２の前壁部２ｂ、左右壁部２ｃおよび後壁部２ｄへ達してその上に重ね合わされる。そして、庇部５ａは、前後方向隙間Ｓを隔てる前壁部２ｂに重なり合うように延出形成されることで、前壁部２ｂに隣接するスリット４をその上方から覆うスリット隠蔽部として機能する。また庇部５ａには、後壁部２ｄのヒンジ用溝１３に合わせて、切り欠き部１４が左右一対形成される。
【００１３】
容器本体２の底壁部２ａには、スリット４位置から容器本体２後方へ延びる縦溝１４ａおよび縦溝１４ａの後端から左右方向に延びる横溝１４ｂから、おおよそＴ字状をなす溝部１４が形成される。この溝部１４内には、スリット４前方に位置する前壁部２ｂで隠蔽して、溝部１４に納まる厚さで形成されたスライドピース６が設けられる。このスライドピース６は、容器本体２とは別体で形成され、当該容器本体２に装着される。スライドピース６は、縦溝１４ａに沿う方向の長さ寸法が当該縦溝１４ａよりも短く形成されるとともに、前端が前壁部２ｂの裏面に当接可能で、縦溝１４ａ内で容器本体２の前後方向へスライド移動自在なスライド片６ａと、スライド片６ａの後端から左右方向に弧状に延出されて横溝１４ｂ内に配置され、後方へスライド移動されたスライド片６ａを前方へ向かって弾性復帰させるために、横溝１４ｂを介して容器本体２に反力をとってスライド片６ａを弾発するバネ片６ｂとから構成される。
【００１４】
従って、スライドピース６は、前壁部２ｂが容器本体２後方へ向かって押圧操作されると、バネ片６ｂに抗してスライド片６ａがスライド移動される。また、押圧操作されないときには、バネ片６ｂの弾発作用でスライド片６ａが容器本体２前方へ付勢され、スライド片６ａの前端が前壁部２ｂに当接される。スライドピース６の前端側には、前後方向隙間Ｓに位置させて、上方へ立ち上げて脚部１５が形成され、この脚部１５の上端には、容器本体２前方へ突出させて係合部７が形成される。係合部７は、庇部５ａ下の前後方向隙間Ｓを利用して、スライドピース６のスライド移動に応じて前後方向に移動される。
【００１５】
容器本体２には、これを開閉する鏡板１６付きの蓋体３が取り付けられる。蓋体３の後部には、庇部５ａの切り欠き部１４を介して、容器本体２の後壁部２ｄの左右一対のヒンジ用溝１３にそれぞれ挿入されるヒンジブロック１７が左右一対形成される。容器本体２には、ヒンジ用溝１３に対してヒンジブロック１７を、ひいては当該容器本体２に対して蓋体３を回動自在に連結する左右一対のヒンジピン１８が装着される。蓋体３の前部には、これより垂下させてフック部８が形成され、フック部８の下端には、容器本体２後方へ突出させて、スライドピース６の係合部７に係脱自在に係合する突起１９が形成される。フック部８は、スライドピース６が容器本体２の後方へスライド移動されることで係合部７から係合解除され、またスライドピース６が容器本体２の前方へスライド移動されることで係合状態とされる。そして、中皿５の庇部５ａには、フック部８を、係合部７が位置する前後方向隙間Ｓに向けて挿抜自在に挿通させるための孔部９が形成される。
【００１６】
さらに、容器本体２の後壁部２ｄと蓋体３のヒンジブロック１７との間には、ヒンジ用溝１３内に取り付けて、付勢部材として、ゴムなどの弾性体２０が設けられる。この弾性体２０は、容器本体２後方へ向けて突出され、蓋体３を閉じるときにヒンジブロック１７に弾接し、これにより、当該ヒンジブロック１７を介して蓋体３を開放方向へ付勢する。
【００１７】
本実施形態にかかるコンパクト容器１の作用について説明する。組み立てに際しては、容器本体２の溝部１４にスライドピース６を配置する。溝部１４に配置されたスライドピース６は、前壁部２ｂによって隠蔽され、またスライド片６ａの前端が前壁部２ｂの裏面に当接される。次いで、容器本体２内に中皿５を装着する。中皿５を装着すると、スライドピース６の係合部７が前壁部２ｂと皿本体５ｃとの間の前後方向隙間Ｓに位置されるとともに、スリット４や前後方向隙間Ｓが、庇部５ａによって中皿５の収納部５ｂから隠蔽される。その後、ヒンジ用溝１３に挿入したヒンジブロック１７をヒンジピン１８で容器本体２の後壁部２ｄに連結して、蓋体３を容器本体２に回動自在に取り付ける。
【００１８】
コンパクト容器１の使用にあたっては、開いている蓋体３を閉じていくと、蓋体３のフック部８が、中皿５の庇部５ａに形成した孔部９を介して庇部５ａ下の前後方向隙間Ｓに進入する。前後方向隙間Ｓに進入したフック部８の突起１９は、係合部７に当接してこれを容器本体２後方へ押圧する。係合部７が押圧されると、スライド片６ａがバネ片６ｂの弾発力に抗して容器本体２後方へ移動し、これにより突起１９が係合部７下に入り込んで係合し、蓋体３による容器本体２の閉止状態が保持される。
【００１９】
他方、蓋体３を開放する際には、容器本体２の前壁部２ｂを手指などで押圧操作することになる。前壁部２ｂを容器本体２後方へ押圧操作すると、これによりスライドピース６は、そのバネ片６ｂの弾発力に抗して容器本体２後方へスライド移動する。スライドピース６の容器本体２後方へのスライド移動により、スライドピース６の係合部７がフック部８の突起１９から離脱する。突起１９から係合部７が離脱すると、蓋体３を開放方向へ付勢している弾性体２０によって、当該蓋体３が容器本体２から離れるように上方へ持ち上げられる。
【００２０】
一旦、弾性体２０の作用で蓋体３が持ち上がると、スライドピース６が弾性復帰しても、フック部８が係合部７と再度係合することはなく、蓋体３を円滑に開放操作することができる。蓋体３が弾性体２０で持ち上げられた後は、前壁部２ｂから手指を離せば、バネ片６ｂによってスライドピース６は容器本体２前方へとスライド移動し、スライド片６ａの前端が前壁部２ｂの裏面に当接して、再度の蓋体３の開放操作に対し、待機することになる。
【００２１】
ところで、本実施形態にかかるコンパクト容器１にあっては、一連な前面外観を表す前壁部２ｂを押圧操作部分として開閉操作するようにしたコンパクト容器を前提として、この前壁部２ｂにフック機能を備えるようにした背景技術とは異なり、前壁部２ｂと別体でフック機能を営む係合部７を備えたスライドピース６を容器本体２に組み込むようにしたので、これら容器本体２と係合部７を備えるスライドピース６とを異材質で形成することができる。これにより、蓋体３のフック部８との係合を構造的に安定化することができて、蓋体３と容器本体２との係脱作用を長期間にわたって適切に維持することができる。
【００２２】
また、前壁部２ｂを押圧操作してこれを弾性変形させるために必要な当該前壁部２ｂと中皿５との間の前後方向隙間Ｓを、スリット４を含めて、庇部５ａで隠蔽することができ、蓋体３を開放した状態でのコンパクト容器１の見栄えを良好に確保できるとともに、さらに化粧料が充填されまた化粧具が収納される収納部５ｂから飛散する化粧料を当該庇部５ａで受け止めることができ、容易に清掃が可能であって、これによってもコンパクト容器１としての見栄えを維持することができる。また反対に、底壁部２ａ側からスリット４を介して容器本体２内に進入する塵埃も、庇部５ａで遮ることができ、これら塵埃が中皿５周りに付着して汚損することも防止できる。また、このような庇部５ａを形成する一方で、庇部５ａに孔部９を形成したので、フック部８と係合部７との係脱作用、そして蓋体３の開閉操作を適切に確保することができる。また、前壁部２ｂ全面を押圧操作部分とすることができて、蓋体３の開放操作性を向上することができる。
【００２３】
また、容器本体２と蓋体３との間に、蓋体３を開放方向へ付勢する弾性体２０を設けたので、前壁部２ｂを押圧操作して一旦係合部７とフック部８との係合を解除すれば、前壁部２ｂから手指を離しても、再度係合してしまうことを防止でき、円滑に蓋体３を開放操作することができる。
【００２４】
図６には、上記実施形態の変形例が示されている。この変形例にあっては、前壁部２ｂに、容器本体２前方へ僅かに隆起させて、凸部２１が形成されている。この凸部２１は、操作位置を示すマークとして機能する。このような凸部２１は、銘板などで構成してもよい。本実施形態にかかるコンパクト容器１は、その外観が全体に亘って平坦であって、特異かつ意匠性に優れたデザインであり、そのために、蓋体３の開閉操作部分が分かりにくいことが懸念されるが、上記凸部２１により、蓋体３の開閉操作部分が容器本体２の前壁部２ｂにあることを使用者に適切に認知させることができる。このような変形例にあっても、上記実施形態と同様な作用効果を発揮することはもちろんである。
【図面の簡単な説明】
【００２５】
【図１】本発明にかかるコンパクト容器の好適な一実施形態を示す分解斜視図である。
【図２】図１のコンパクト容器のスライドピース配置部分とヒンジブロック配置部分を示す側断面図である。
【図３】図１に示したコンパクト容器の前方上方からの斜視図である。
【図４】図１に示したコンパクト容器の後方上方からの斜視図である。
【図５】図１に示したコンパクト容器の後方下方からの斜視図である。
【図６】本発明にかかるコンパクト容器の変形例を示す前方上方からの斜視図である。
【符号の説明】
【００２６】
１  コンパクト容器
２  容器本体
２ａ  容器本体の底壁部
２ｂ  容器本体の前壁部
３  蓋体
４  スリット
５  中皿
５ａ  庇部
６  スライドピース
７  係合部
８  フック部
９  孔部
２０  弾性体
２１  凸部
Ｓ  前後方向隙間
【図１】
2007289291.tif 000003
【図２】
2007289291.tif 000004
【図３】
2007289291.tif 000005
【図４】
2007289291.tif 000006
【図５】
2007289291.tif 000007
【図６】
2007289291.tif 000008